(57)【特許請求の範囲】
【請求項１】
略顔面輪郭形状に形成された台座、この台座の中央上部から中央下部にかけて架設された筋金、及び上記台座の左右方向に架設され、互いに所定の間隔をおいて配列された複数の横金を有し、装着時に顔面前面側に位置する面金と、この面金に取り付けられ、装着時に頭頂部及び頭側部を覆って保護する面布団と、上記面金の下部に取り付けられ、装着時に首部を保護する突き当てとを備えた顔面保護具において、上記面金にはその上部及び下部の筋金及び横金を残して着用者の視線が通過する眼前部分における筋金及び横金、又は横金を切り欠いて開口部を形成すると共に、この開口部には透明防護体を配設し、この透明防護体にはその左右方向両端部に面金の背面側に延びる取付部を設け、この取付部を面布団の外面より内側に位置させて固定することにより透明防護体を取り付けたことを特徴とする顔面保護具。
【請求項２】
透明防護体は、その縦方向に延びる縦中心線を対称軸とする左右対称に形成されており、その眼前部分における左右方向の曲率半径がその全体に亘って同じであるか、又は、中心部から端部にかけて順次小さくなるように形成されている請求項１に記載の顔面保護具。
【請求項３】
透明防護体に形成された取付部と面布団の外面より内側との間の固定は、ベルベット式ファスナーで行なわれている請求項１又は２に記載の顔面保護具。
【請求項４】
透明防護体は、２以上の透明体を重ね合わせた積層構造に形成されている請求項１〜３の何れかに記載の顔面保護具。
【請求項５】
透明防護体を構成する少なくとも１の透明体は、面金の外側において開口部周囲の横金と重なるように配設されている請求項１〜４の何れかに記載の顔面保護具。
【請求項６】
透明防護体は、その一部あるいは全部が交換可能に取り付けられている請求項１〜５の何れかに記載の顔面保護具。
【請求項７】
透明防護体は、下向きに傾斜して取り付けられている請求項１〜６の何れかに記載の顔面防具。
【発明の詳細な説明】
【０００１】
【発明の属する技術分野】
本発明は、剣道において竹刀等から頭部、顔面、首等を保護するために使用される剣道用面防具等の顔面保護具に関する。
【０００２】
【従来の技術】
古来、剣道に用いられる剣道用面防具は、図３９に示すように、装着時に顔面前面側に位置して顔面を保護する面金３０と、この面金３０に取り付けられ、装着時に頭頂部及び頭側部等を覆って保護する面布団３１と、上記面金３０の下部に取り付けられ、装着時に首部（喉）を保護する突き当て３２等から構成されている。
【０００３】
このような剣道用面防具において、顔面を保護する面金３０は、顔面の輪郭に略等しい大きさの枠形状に形成された金属製の台座３３と、この台座３３の中央上部から下部にかけて架設された筋金３４と、上記台座３３の左右方向に架設され、互いに所定の間隔をおいて配設された１３〜１５本程度の横金３５とを有し、顔面を前面側から被覆するように装着されることで顔面を保護するものである。そして、このような面金３０では、隣り合う横金３５同士の間隔が竹刀の先端部が入り込まない狭い間隔に形成されているため、竹刀等が顔面に直接当接してしまうことを防止することができ、これにより顔面全体を保護している。
【０００４】
しかしながら、このように複数の横金と筋金とを組み合わせることで顔面を保護する場合には、着用者の視野や通気性を確保するために隣り合う横金同士の間隔を１０ｍｍ以上に形成する必要があるが、この場合には、その隙間から壊れかかった竹刀の先端や竹刀の裂片、折片等が入り込んで顔面を傷つけてしまう可能性があり、その安全性において万全のものとは言えなくなり、特に、竹で作られた竹刀では、打突によって裂けたり折れたりするので、上記問題が生じる危険性がある。
【０００５】
そこで、顔面全体を１３〜１５本程度の多数の横金で被覆することが行なわれているが、かかる場合には、着用者の視野が十分に確保され難くなり、また、剣道競技の観客からは試合をしている者の緊迫した表情を見て取ることができないという不満の声も多かった。
【０００６】
そこで、実開平１−１１９６７５号公報や実開昭６４−３７２７９号公報に記載されているように、面金の代わりに顔面全体を透明マスクで覆った剣道用面防具が提案されている。そして、このように透明体により顔面全体を隙間無く被覆した剣道用面防具では、竹刀の破片等による顔面損傷の危険を防止できるうえ着用者の視野が十分に確保され、しかも、試合者の表情が分かり易い等の利点がある。
【０００７】
しかしながら、顔面全体を透明マスクで覆った場合には、多少の通気孔を設けた程度では試合をしている者の激しい呼吸による通気の障害になり、試合をしている者が呼吸困難を引き起こす原因にもなる。また、剣道特有の気合（掛け声）がマスク内でこもってしまい効果的な気合を発することができない。だからと言って、通気孔の開口率を大きく開設してしまうと、竹刀破損による顔面損傷の可能性が増大し、しかも、耐衝撃強度が減少してしまうので、面打ちや突き等の際に竹刀等で直接強打された場合や、剣道用面防具同士が衝突した場合等において透明体が破壊されてしまう可能性が高くなり、面金としての基本的な安全性が損なわれてしまう。
【０００８】
また、剣道は単なる運動競技ではなく、固有の様式美を併せ持つ古来の伝統文化の一つである。従って、剣道の面防具は、他の運動競技の面防具とは異なって、防具としての機能を発揮すれば十分と言うものではなく、剣道の伝統文化性を象徴するところの、筋金と横金からなるその様式美を継承するものでなければ広く剣道界に受け入れられることはなく、ひいては剣道の防具産業の発展に寄与するものとはならない。そして、上記透明マスクの考案は、面金全面が透明体で構成されているため、剣道固有の様式美が損なわれてしまっており、従来の剣道面防具に化体した剣道の伝統文化性を継承するものではないところにも問題があった。
【０００９】
【発明が解決しようとする課題】
従って、本発明の目的は、剣道用面防具とした場合に従来の剣道用面防具に化体した剣道等の伝統文化性を継承しつつ、安全性を高めた剣道用面防具となる顔面保護具を提供することにある。
【００１０】
【課題を解決するための手段】
すなわち、本発明は、略顔面輪郭形状に形成された台座、この台座の中央上部から中央下部にかけて架設された筋金、及び上記台座の左右方向に架設され、互いに所定の間隔をおいて配列された複数の横金を有し、装着時に顔面前面側に位置する面金と、この面金に取り付けられ、装着時に頭頂部及び頭側部を覆って保護する面布団と、上記面金の下部に取り付けられ、装着時に首部を保護する突き当てとを備えた顔面保護具において、上記面金にはその上部及び下部の筋金及び横金を残して着用者の視線が通過する眼前部分における筋金及び横金、又は横金を切り欠いて開口部を形成すると共に、この開口部には透明防護体を配設し、この透明防護体にはその左右方向両端部に面金の背面側に延びる取付部を設け、この取付部を面布団の外面より内側に位置させて固定することにより透明防護体を取り付けた顔面保護具である。
【００１１】
そして、本発明の顔面保護具では、面金にはその上部及び下部の筋金及び横金を残して着用者の視線が通過する眼前部分における筋金及び横金、又は横金を切り欠いて開口部を形成すると共に、この開口部には透明防護体を配設し、この透明防護体にはその左右方向両端部に面金の背面側に延びる取付部を設け、この取付部を面布団の外面より内側に位置させて固定することにより透明防護体を取り付けているので、透明防護体が配設された部位からの竹刀の先端や破片等の進入を防止することができ、また、剣道等においては面打ちや突き等の打突に対する優れた耐衝撃強度を維持すると共に伝統的様式美を継承することができる。ここで、面金に形成する開口部は、着用者が試合相手を十分に確認できる領域あるいはそれ以上であればよいが、好ましくは着用者の視界の範囲あるいはそれより僅かに大きい程度とするのがよく、これによって従来の面金よりも広い視野を確保することができると共に、剣道競技の観客から試合者の緊迫した表情を察知し易くなり、しかも筋金と横金とをできるだけ残して剣道用面防具等の顔面保護具の伝統的な様式美をより効果的に残存させることができる。
【００１２】
また、本発明において、その透明防護体は、その縦方向に延びる縦中心線を対称軸とする左右対称に形成され、かつ、その眼前部分における左右方向の曲率半径がその全体に亘って同じであるか、又は、中心部から端部にかけて順次小さくなるように形成される。これによって、着用者はこの透明防護体を通してほとんど裸眼に近い状態で試合相手を見ることができ、着用時の違和感が解消される。
【００１３】
更に、本発明の顔面保護具では、面金と透明防護体とを組み合わせることにより顔面を保護しているので、透明防護体を顔面全体に設ける必要はなく、その結果竹刀等で強打された際の、あるいは稽古中の衝突に対する耐衝撃強度を確保しつつ、十分な通気性を確保することができる。
【００１４】
このような顔面保護具において、面金にどのような開口部を形成するかについては、特に制限はないが、好ましくは、着用者の視野を確保するために、着用者の視線が通過する眼前部分に開設したり、当該眼前部分から鼻孔までの部分に亘って開設したりすればよい。そして、このように面金に開口部を開設するためには、例えば、従来と同様に金属製の横金及び筋金が配列された面金から当該開設部位の横金及び／又は筋金を取り除くようにして開設しても、当該開設部位の上下に位置する横金同士の間隔を広げることで開設してもよい。この際、特に筋金全体を残したまま開口部を開設すれば、面金の縦方向の強度を確保することができる。
【００１５】
他方、剣道等においては、竹刀による面打ちや突きを受けた際に面金の上部や下部には瞬時的に強い力が作用し、また、誤って面金の上部や下部を直接強打してしまう場合が多々あるので、少なくとも当該上部や下部には横金や筋金を残した面金に形成し、これにより耐衝撃強度を確保するとよい。また、このように面金の上部及び下部に横金や筋金を残した場合には、剣道用面防具とした場合その雰囲気（バランス）が従来のものに非常に近いものとなり、従来の剣道用面防具が持つ伝統的様式美を効果的に継承できるといった別の効果も有する。すなわち、面金は任意の材料で構成することができるが、従来と同様に金属製の横金や筋金で構成する場合には容易に耐衝撃強度を確保するとともに、伝統的様式美を効果的に継承することができる。
【００１６】
このような面金を有する顔面保護具において上記透明防護体は、少なくとも面金に開設された開口部を塞ぐように配設されたものであればよく、例えば、この開口部のみを塞ぐように配設されたものであっても、この開口部と共にその周囲における面金の隙間（例えば、開口部を眼前部分に形成した場合等には、その上方や下方における横金の隙間等）をも塞ぐように配設されたものであってもよい。なお、透明防護体により開口部を塞ぐような開口部と透明防護体との配設位置関係には、例えば、透明防護体が横金及び／又は筋金の内側において開口部を塞ぐように配設されている場合、透明防護体が横金及び／又は筋金の外側において開口部を塞ぐように配設されている場合、透明防護体が開口部上下の横金及び／又は筋金の間に挟まれるように配設されている場合等が含まれる。そのため、透明防護体を的確に位置決めするため、該横金及び／又は筋金に適当な段差あるいは切欠等を設けてもよい。
【００１７】
このような顔面保護具に使用される透明防護体は、竹刀等により直接強打されたとしても破壊されることがないような高い強度に形成されていればよく、例えばポリカーボネート樹脂等の高硬度透明体で構成することができる。また、単層で構成してもよいが、より高い安全性を確保すること等を目的として、複数の透明体を重ね合わせた積層構造に構成してもよい。これらの場合において、透明防護体の厚さは１〜１０ｍｍ程度、好ましくは２〜６ｍｍ程度に形成するとよい。なお、透明防護体を積層構造に構成する場合には、各層の透明体同士が分離して形成されていても、接着等により一体に形成されていてもよい。このような積層構造では、外側の透明体とそれ以外の透明体とが分離されていても、また、分離されていなくても、外側の透明体が破壊された際にその破片が内側の透明体によりブロックされるので、万が一に外側の透明体が破損したとしても顔面を損傷させることはなく、安全性を高めることができる。特に、ポリカ−ボネ−ト樹脂は高硬度を有するうえ耐衝撃性に富んでおり、透明防護体として最適な材質を持つものではあるが、深い傷が付いたり、溶剤で表面を拭ったり、あるいは太陽光線に長期間晒したりすると、使用中に突然破壊する恐れがあり、このように２層以上の構造に構成したほうが望ましい。
【００１８】
このような透明体に使用することができる材料としては少なくともそれを通して外部を視認できるものであればよいので、上述したポリカーボネート樹脂の他にも、例えば、アクリル樹脂、ナイロン樹脂、ポリエステル樹脂、硬質塩化ビニル樹脂、透明ＡＢＳ樹脂、ポリメチルペンテンサン樹脂、ポリビニルアルコ−ル樹脂等の透明樹脂や硬質ガラス等のガラス類等の高硬度の材料を使用することができ、好ましくはその硬度がロックウエル硬さ（ＡＳＴＭ  Ｄ７８５試験法、Ｍ又はＲスケール）にて６０以上のものが望ましい。
【００１９】
このような材料を組み合わせて積層構造の透明防護体を構成するにあたっては、同質の高硬度透明体、例えばポリカ−ボネ−ト樹脂体同士で構成しても、また、異質の高硬度透明体、例えばポリカ−ボネ−ト樹脂体とナイロン樹脂体とで構成してもよい。特に、高硬度透明体の外側に耐衝撃性軟質透明樹脂を積層した場合には、耐衝撃性軟質透明樹脂が高硬度透明体の表面に傷がつくのを防止できるので望ましいものとなる。このような例としては、ポリカ−ボネ−ト樹脂の外側に軟質塩化ビニル樹脂を積層したものが挙げられる。また、このような目的で使用される耐衝撃性軟質透明樹脂としては、例えば、ナイロンエラストマ−、ポリウレタンエラストマ−、ナイロン樹脂、アイオノマ−樹脂、軟質塩化ビニル樹脂、Ｅ．Ｖ．Ａ．樹脂、シンジオタクチック1、2-ポリブタジェン樹脂等を始めとして、オレフィン系、スチレン系、ポリエステル系等の各種エラストマ−樹脂があり、好ましくは、アイゾット衝撃強さ（ＡＳＴＭ  Ｄ２５６試験法）５０ｋｇ・ｃｍ／ｃｍ以上、より好ましくは８０ｋｇ・ｃｍ／ｃｍ以上に形成された耐衝撃性軟質透明樹脂を使用するとよい。また、積層構造の透明防護体を構成するにあたっては、各層の厚みを５０μｍ以上とすることが好ましい。これは、一般的に各層の厚みがあまりに薄くては必要な強度を確保することが困難であると共に、曲げ加工、接着加工等の成形が困難となり、成型後においても透明防護体表面に歪みが生じ易くなるためである。
【００２０】
ところで、本発明のように顔面前面を保護するために透明防護体を使用した場合、照明器具からの光が反射して立ち会い者の目が眩んでしまうことがある。この対策としては、例えば、透明防護体を下向きに取り付けたり、何れかの透明体の表面に微細な粗面化加工を施し、粗面化された面で光を乱反射させたり、何れかの透明体の表面に光を乱反射させる塗料等を塗布すればよい。あるいは、透明性を損なわない範囲で着色を施してもよい。
【００２１】
複数の透明体を分離して重ね合わせた場合で、特に多数の透明体を積層した場合には、各透明体における光の屈折率の違い等から透明防護体としても透明性、すなわち、見やすさが低下してしまい実用性に欠けてしまうことがある。そのような場合の対策としては、透明な中間材を各層間に介在させて各層を密着させるとよい。この目的に使用する中間材としては、透明性のある一般的な粘着剤、二液硬化型エポキシ系接着剤、あるいは、ヒドロキシエチルアクリレート、トリメチロールプロパントリアクリレート、ジエチルグリコールジアクリレート等の紫外線硬化性アクリルモノマー、更には、ナイロンエラストマー、ポリウレタンエラストマー、ナイロン樹脂、アイオノマー樹脂、軟質塩化ビニル樹脂、ＥＶＡ樹脂、シンジオタクチック−１，２−ポリブタジエン樹脂等を始めとして、種々のオレフィン系、スチレン系、ポリエステル系等の各種エラストマー樹脂、ブチラール等の軟質透明樹脂の薄膜等が好ましい。なお、これら中間材は、全ての層間に介在させても、何れかの層間のみに介在させてもよい。他にも、透明性を向上させる別の対策としは、眼前部分のみを１層構造に形成する方法もある。このような対策では、中間材を介して各透明体を密着させた場合に生じる問題、例えば、一体に形成される透明体の厚さが実質的に厚くなることに起因するレンズ効果の増大によって像が実像と異なって歪んで見えたり、距離感が合わなくなってしまうといった問題を生ずることなく、見やすさを向上させることができる。なおこの際、眼前部分以外の部分については、透明体が分離して積層された構造であっても、中間材を介して密着して一体に積層された構造であっても構わない。
【００２２】
透明防護体としてポリカーボネート樹脂製の透明体を使用する場合等にいおては、その表面が傷つきやすく、しかも、曇り止め等に含まれる溶剤等で透明性が損なわれ易いので、表面を保護するような積層構造に形成するとよい。具体的には、傷付きを防止するためには、当該透明体の表面（外面）に耐擦傷性物質を付着させたりすればよく、すなわち、金属酸化物、ガラス、セラミックス等の無機系のものや、オルガノアルコキシシラン等のシリコン系樹脂、ヒドロキシエチルアクリレ−ト、トリメチロ−ルプロパントリアクリレ−ト、ジエチレングリコ−ルジアクリレ−ト等の紫外線硬化性アクリルモノマ−型、及びメラミン、ウレタン、アルキドの有機系の材料等の耐擦傷性の材料等を付着させたりすればよく、あるいは、一般的にハ−ドコ−トと呼ばれている耐擦傷性透明皮膜を設けたポリカーボネート樹脂透明体を使用してもよい。他方、呼気による曇りを防止するためには、透明体の表面（内面）に防曇剤を塗布したり、吹きつけたりすればよく、また、防曇性フィルムを張り付けたりすればよい。
【００２３】
複数の透明体を重ね合わせる場合には、各透明体の外形形状は同一であっても異なっていても良い。例えば、外層の透明体は開口部のみを塞ぐような外形形状に形成すると共に、内層の透明体は外層よりも上方及び／又は下方にも延在するような外形形状に形成してもよい。このような外形形状の組み合わせに構成した場合には、横金と筋金の残存部分を増やして面金の強度や伝統的様式美の継承の効果を高めつつ、透明防護体による被覆範囲を広げることができ、竹刀の裂片や折片の侵入による顔面損傷の防止効果を高めることができる。この際、内層の透明体には竹刀等による強い衝撃が直接作用することはないので、比較的薄く形成しても十分な効果が得られる。また他にも、透明防護体を３層構造に形成すると共に、中間層の透明体を開口部に納まる大きさに形成して開口部周囲の横金の間に挟まれる位置に配設し、外層の透明体を開口部周囲の横金と重なる大きさに形成して面金の外側に配設し、更に、内層の透明体を中間層と同一形状に形成して面金の内側に配設してもよい。このような組み合わせでは、外層が面金の外側において開口部の上下に配設された横金の上に重ね合わされることになるので、強い衝撃により透明防護体（特に外層）が変形してしまうような場合であっても、外層と当該横金との間に隙間が生じて竹刀の破片等が進入してしまうことはなく、開口部からの竹刀やその破片の進入を確実に防止することができる。
【００２４】
また、透明防護体が単層体であっても、また、積層体であっても、この透明防護体を面金に取り付けるに際しては、透明防護体の上下端部を面金に形成した開口部の上下に位置する横金の何れか一方又は双方の外側に重ね合わせるようにして、この透明防護体を面金に取り付けてもよく、この場合には、透明防護体にその外方から打突の力が加えられた際に透明防護体の周縁部内側に位置する横金が透明防護体をその裏側から支える役割を果たし、結果として透明防護体の耐久性が向上する。また同様に、面金の筋金を透明体の顔面側に残存するように開口部を形成した面金も同様の効果があり、上記の横金との位置関係と併用すれば、更に裏側からの支え効果が高くなり、より好ましいものとなる。
【００２５】
更に、このように透明防護体の上下端部を面金の開口部上下に位置する横金の何れか一方又は双方の外側に重ね合わせる場合には、面金開口部上下の横金に重ね合わせた透明防護体の上下端部がその厚さ分だけ突出すると、それだけその部分に打突を受けた際の衝撃が大きくなるので、面金開口部上下の横金に重ね合わせた透明防護体の上下端部の表面がこれら重ね合わされた面金開口部上下の横金に隣接する横金の表面と略々面一になるように、重ね合わされる面金開口部上下の横金を透明防護体の上下端部の厚さ分だけ裏面（顔面）側に低く形成してもよく、このように処理することによって、面金開口部上下の横金に重ね合わされる透明防護体の上下端部を面金開口部上下の横金に隣接する横金で保護する効果が発揮される。
【００２６】
そして、このように透明防護体の上下端部を面金の開口部上下に位置する横金の何れか一方又は双方の外側に重ね合わせる場合、あるいは筋金を残存する場合において、これら面金の開口部上下に位置する横金の表面や、あるいは、これらの横金、筋金が当接する透明防護体の当接部位に、軟質の緩衝層を設け、この緩衝層により透明防護体に打突等の衝撃が作用した際にこの衝撃を緩和するようにしてもよい。この目的で設けられる緩衝層については、それが透明防護体より軟質であればどのようなものであってもよく、例えば軟質合成樹脂やゴム等でよく、透明であっても、また、透明でなくてもよい。
【００２７】
なお、積層体状に形成される透明防護体において、積層される透明体の数、つまり積層数は２層や３層に限定されるものではなく、４層以上であっても構わないし、各層間は分離されていても密着されていても構わない。そして、各層の厚さが同一の積層であっても、また、異なる厚さの積層であってもよく、その際の配列の順序は自由である。更に、透明防護体、ひいては各透明体は、平板形状のものを左右方向において屈曲させた二次元曲面形状に形成されていても、開口部において従来の面金と同様のシルエットが形成されるような三次元曲面形状に形成されていても構わなく、更にこれらを複合させ、顔前部分の左右方向において屈曲させた二次元曲面形状に形成され、上下において従来の面金と同様のシルエットが形成されるような三次元曲面形状に形成されていてもよい。
【００２８】
このように三次元曲面形状であって、しかも、開口部及びその上方及び／又は下方に延在するような外形形状に透明体を形成しようとすると、当該透明体の形状が非常に複雑なものとなってしまう。そこで、このような場合等においては、透明防護体を面金に開設された開口部のみを塞ぐように形成すると共に、当該透明防護体よりも上方及び／又は下方に突出させて補助防護体を設け、しかも、当該補助防護体はその一部が上記透明防護体の上縁部あるいは下縁部と重なり合うように配設するとよい。このように透明防護体と補助防護体とを組み合わせて配設することにより、開口部及びその上方及び／又は下方の全体を塞ぐことができ、保護効果を同等のものとしつつ各透明体の形状を簡易なものとすることができ、コストダウン等のメリットが生じる。なお、補助防護体の一部を透明防護体の上縁部あるいは下縁部と重なり合わせるのは、強い衝撃により透明防護体が変形しても、透明防護体と補助防護体との間に隙間が形成されないようにするためであり、これにより透明防護体と補助防護体との間から竹刀の破片等が進入するのを確実に防止するためである。
【００２９】
さて、このような透明防護体は、竹刀等の強打により容易に外れてしまわないように顔面保護具に固定されていればよいが、好ましくは、面金や面布団とのライフサイクルと透明防護体のライフサイクルとの間には極端な差があるので、その一部あるいは全部を交換可能に固定した方がよい。このように交換可能に固定する方法としては、例えば、開口部における面金の台座に１乃至複数のリブを立設し、このリブに透明防護体を着脱可能に固定すればよい。また、着脱可能に固定する方法としては、例えば、透明防護体の左右方向両端部と当該リブにそれぞれ貫通穴を開設し、その穴同士をボルトとナットとで締着させるようにすればよい。このような固定方法は、透明防護体に対して正面や横方向から強い衝撃が加わったとしても固定部分が外れてしまうようなことはなく、剣道競技において好適なものである。
【００３０】
他にも、透明防護体の左右方向両端部それぞれに取付部を一体に形成すると共に、この取付部を面布団の外面上に着脱可能に固定してもよい。このような固定方法では、上述した面金のリブに固定する場合よりも後方において透明防護体を固定させることができるので、竹刀等により固定部分が直接強打される可能性が低減し、固定部分の損傷を防止することができる。
【００３１】
更にその他にも、透明防護体の左右方向両端部それぞれに取付部を一体に形成すると共に、この取付部を面布団の内側に挿入して着脱可能に固定してもよい。このような固定方法では、上述した取付部を面布団の外面上に固定した場合に比べて更に、固定部分が面布団により被覆されることになり、竹刀等により固定部分が直接強打されることが全く無くなる。しかも、前記の２つの取付け方に比べた場合、リブや取付部が顔面保護具の表面に露出しないので、従来の顔面保護具と同様の外観を維持したまま透明防護体を固定することができる。なお、取付部を面布団の内側に挿入する方法としては、単に台座と面布団との間から取付部を挿入してもよいが、例えば、当該取付部と重なる（対応する）台座の部位にスリットあるいは切欠部を形成し、このスリットあるいは切欠部から取付部を面布団の内側に挿入させればよい。このように台座にスリットあるいは切欠部を形成した場合には、単に台座と面布団との間から取付部を挿入した場合等に比べて、取付部の厚みに起因する面布団の変形等を抑制することができる。また、台座の外周側に切欠部を形成するよりも、台座の内周側に切欠部を成形したり、台座にスリットを形成した方がよい。なぜなら、透明防護体が変形した場合にその左右方向両端部が広がってしまうのを台座で抑え込むことができ、ひいては透明防護体の破壊（特に取付部や固定部分の破壊）を抑制することができるからである。なお、このように取付部を面布団の内側で固定する場合には、その取付部が面布団内部で頭部に直接当接して損傷させることがないように、装着時に面金が顔面前面に直接当接してしまうのを防止するために面金の台座に沿って取り付けられた内輪と面布団との間において取付部を固定するとよい。
【００３２】
透明防護体に形成された取付部と面布団との間の固定に際しては、上述したボルトとナットを用いる方法や、リベット止め等の方法以外に、特に好適な方法としてベルベット式ファスナーを用いる方法がある。すなわち、取付部の面布団側の側面に一方のベルベットファスナーを取り付け、この取り付け部が固定されるべき位置の面布団の側面には他方のベルベットファスナーを取り付け、これら一対のベルベットファスナーにより面布団の内側に挿入された取付部を固定する方法である。このベルベット式ファスナーを用いる方法によれば、固定のための手段が面布団の内側で突起として違和感を生じることがなく、しかも、面金に対する透明防護体の着脱が容易になる。
【００３３】
【発明の実施の形態】
以下、添付図面に示す実施例に基づいて、本発明の好適な実施の形態を説明する。
【００３４】
実施例１
図１〜図４に本発明の実施例１に係る剣道用面防具を示す。これらの図において、１〜５は、装着時に顔面前面側に位置して顔面を保護する面金の各構成部、１２は、この面金に取り付けられ、装着時に頭頂部及び頭側部等を覆って保護する面布団、１３は、上記面金の下部に取り付けられ、装着時に首部（喉）を保護する突き当て、７は透明防護体であり、特に本実施例では、面金には、目及びその周囲の眼前部分から鼻孔に亘る大きさの開口部６を開設し、透明防護体７は、この面金の開口部６のみを被覆するように配設している。
【００３５】
このような剣道用面防具において、面金は、詳しくは図２に示すように、略顔面輪郭形状に形成された台座１と、この台座１の上部に配列された３本の上部横金２と、台座１の中央上部と当該３本の上部横金２との間に架設された上部筋金３と、台座１の下部に配列された４本の下部横金４と、台座１の中央下部と当該４本の下部横金４との間に架設された下部筋金５とからなり、顔面の額部分と顎部分とを上部横金２及び下部横金４（これら全体を「横金部」と称することがある）と上部筋金３及び下部筋金５（これら全体を「筋金部」と称することがある）とでそれぞれ被覆保護している。なお、横金部における各横金２，４同士の間の間隔は、従来の面金と同様に形成されている。
【００３６】
他方、このような面金の上記開口部６のみを被覆するように配設される透明防護体７は、詳しくは図３に示すように、厚さ４ｍｍのポリカーボネート樹脂製の１枚の透明体からなり、その外形形状は、略長方体形状を有する平板を左右方向においては横金２，４に沿って屈曲させ、且つ、上下方向においては上部筋金３と下部筋金５との間に連続的な曲面を形成するように屈曲された三次元曲面形状に形成されている。従って、本実施例の剣道用面防具は、図４に示すように、面金と透明防護体７とが一体に連続した曲面形状に形成され、従来からの剣道用面防具と同様のシルエットが得られることになり、好ましい態様となっている。
【００３７】
ところで、本実施例では、このような透明防護体を装着して剣道用面防具とするために、透明防護体７の左右方向両端部それぞれに３つずつ貫通穴９を開設すると共に、面金の台座１の対応する部位それぞれに貫通穴２９が開設されたリブ部８を立設する。そして、各透明防護体の貫通穴９とリブ部の貫通穴２９とをボルト及びナットで締着している。このような固定方法であれば、ボルトとナットを外すことにより、透明防護体７を剣道用面防具から着脱して交換することができる。
また、本実施例の透明防護体７には、当該貫通穴９，９同士の間に切欠部１０が形成されており、これにより、透明防護体７の配設部分における通気性を確保している。
【００３８】
そして、このように開口部６を眼前部分から鼻孔までの間に開設し、その部分に透明防護体７を配設した剣道用面防具では、面金の上部及び下部を残しているので面打ちや突き等による強い衝撃によって破損してしまうことはなく、しかも、眼前部分が透明防護体７により隙間なく被覆されているので竹刀の先端や破損した破片等が進入して眼球等を損傷させてしまうことも全く無い。更に、透明防護体７を変形させてしまうような強い衝撃を正面あるいは横方向から加えたとしても、透明防護体７、特にその固定部分が破損してしまうことも無い。従って、横金と筋金とで顔面を被覆した従来の剣道用面防具に比べて高い安全性が確保されている。
【００３９】
また、このように形成された剣道用面防具では、装着時に目とその周辺の視線の通過する部分が透明防護体７のみで被覆されているので、広い視野が確保されていて非常に競技がし易い。特に、ポリカーボネート樹脂透明体に一般的にハードコートと呼ばれているものを塗布したものでは、透明防護体７が傷つき難く、しかも、内面に防曇剤を塗布しても透明性が損なわれてしまうことがない。また、観客においても競技者の表情を読み取ることができるので好ましい。特に、透明体７の外面に微細な表面加工を施したものでは、立ち会い者や観客の目が眩んでしまうことはなく、表情を確実に読み取ることができる。
【００４０】
更に、このように面金の上部及び下部を従来の面金と同様に横金部と筋金部とで形成し、しかも、透明防護体７を面金と一体となるシルエット形状に形成しているので、従来の剣道用の剣道用面防具と同様の雰囲気がかもしだされており好ましいものとなっている。
【００４１】
最後に、透明防護体７と面金との組み合わせで顔面を保護し、しかも、透明防護体７の左右両端部に切欠部１０を形成しているので、十分な通気性が確保され、透明防護体７が曇ってしまったり、気合（掛け声）が面の中でこもってしまうことはなく、従来と同様に相手を効果的に威圧することができる。
【００４２】
なお、図５に示すように、台座１の上部から下部に亘るように筋金１１を形成してもよい。このような筋金１１が配設された剣道用面防具では、視野を十分に確保しつつ面金の強度を向上させ、しかも、この筋金１１により透明防護体７を保護することができる等のメリットがある。また、筋金１１は開口部において、屈曲あるいは切欠くなどにより透明防護体７の裏側に位置するように形成してもよい。
【００４３】
実施例２
図６〜図１０に示すように、透明防護体７の剣道用面防具への取付け方を変更し、また、それに合わせて各部材の形状等を変更した以外は実施例１と略同様の剣道用面防具である。
【００４４】
本実施例では、具体的には、図８に示すように、透明防護体７の左右両端部それぞれに、３つに分割された取付部１６を一体に形成すると共に、図７に示すように各取付部１６に対応する台座の部位にスリット１７を開設し、図９に示すように、各分割された取付部１６を対応するスリット１７に挿入することで、透明防護体７と面金との配設位置関係がずれないようになっている。また、本実施例では、上部筋金３を下方に延ばして、且つ、下部筋金５を上方に延ばして、これらの先端部１３，１４が透明防護体７の内側面に当接するようにしている。但し、該先端部１３，１４が透明防護体７の略内側面に沿って延長し、筋金３，５を直線状に一体的に形成してもよく、この場合、透明防護体７の内側が全長にわたって当接可能となり、打突により透明防護体７の変形を一層効果的に防止することができるばかりでなく、面金の強度も一層向上させることができ、より好ましいものとなる。
【００４５】
また、実際にはこの透明防護体７は、図６のａ−ａ’断面図である図１０に示すように、取付部１６が面布団１２と内輪１５との間に挿入され、しかも、各取付部１６及び面布団１２それぞれに貫通穴を開設しそれらをボルト及びナットで締着することで、透明防護体７を剣道用面防具に着脱可能に固定している。ここで、取付部１６は、着脱の際にスリット１７部を通過するため、容易でスムーズな着脱を可能なものとするため、取付部１６とスリット１７との形状に対応した案内具（図示せず）を装着するとよい。本実施例の場合には、例えばツバ付きの長方形の筒状のプラスチック製案内具であれば、スリット１７に差し込んで装着することができ、取付部１６を保護する効果と、着脱の容易性を向上できる。
【００４６】
そして、このように構成された剣道用面防具では、透明防護体７の固定部分１６が面金よりも後方に位置して竹刀等により強打される可能性が格段に減少し、固定部分（取付部１６）が面布団１２の内側に配設されているので直接強打されるようなことはなく、更に、取付部１６が台座のスリット１７を通して固定されているので、透明防護体７を変形させたとしても、透明防護体７の左右方向両端部が台座１により固定保持されて固定部分１６に無理な力が作用することはなく、固定部分１６ひいては透明防護体７の破壊を格段に減少させることができる。同時に、竹刀の損傷も減少することができる。また、透明防護体７の中央部分を筋金の先端部１３，１４で内側から押さえるようにしたので、透明防護体７の変形が抑制され、台座のスリット１７等により取付部１６が折れてしまうようなことも無い。
【００４７】
また、このように透明防護体７の左右方向両端部に取付部１６を形成し、この取付部１６を面布団１２の内側に配設するようにした剣道用面防具では、実施例１のように面金の中で透明防護体７を固定した場合や、図１１に示すように面布団１２の外側において取付部１６を固定した場合等に比べて取付部１６等が露出することはなく、従来の剣道用の剣道用面防具により近い雰囲気をかもし出すことができ、好ましいものとなっている。また、本実施例では、台座１にスリット１７を形成し、取付部１６をそのスリット１７から面布団１２の内側に挿入しているので、この台座１周囲に面布団１２の盛り上がりが生じることもない。
【００４８】
更に、本実施例では、面布団１２と内輪１５との間で取付部１６を固定しているので、取付部１６が剣道用面防具の内側に露出してしまうことはなく、装着時に取付部１６により頭部が損傷してしまうこともなく、しかも、実施例１のように面金のリブ８が視野を狭めてしまうこともない。
【００４９】
なお、このように透明防護体７に取付部１６を設けた剣道用面防具において、面布団１２の盛り上がりを防止するため変形例を図１２に示す。同図（Ａ）は、取付部１６の全体が挿入されるスリット２１が形成された台座１であり、同図（Ｂ）は、各分割された取付部１６に対応させて外周側に切欠部２２が形成された台座であり、同図（Ｃ）は、各分割された取付部１６に対応させて内周側に切欠部２３が形成された台座であり、同図（Ｄ）は、取付部１６全体に対応する部位が内側に屈曲された台座であり、同図（Ｅ）は、各分割された取付部１６に対応する部位が外側に屈曲された台座１であり、同図（Ｆ）は、取付部１６に対応する部位が略９０度ねじ曲げられた台座である。同図（Ｇ）は、スリット形成部の台座幅を通常の台座幅よりも広くして、スリット部の強度保持を目的とした台座１である。
【００５０】
また、このように台座１にスリット１７，２１や切欠部２２，２３を形成した場合等には、台座幅を広げたとしても台座１の強度が低下してしまうので、図１３に示すように、それを補うように、当該スリットあるいは切欠部の形成部位に重ねて台座補強部材２４を設けてもよい。このような補強部材２４は、台座１と一体に形成されたほうが補強効果が高まるので、横金２，４を台座１に固定する際に台座１と一緒にかしめ止めしてしまえばよい。
【００５１】
実施例３
図１４に示すように、透明防護体７を２層構造に形成した以外は、実施例２と同様の剣道用面防具である。本実施例における透明防護体７は、詳しくは、開口部６のみを塞ぐ大きさに形成された厚さ２ｍｍのポリカ−ボネ−ト樹脂製の高硬度透明体７ｃ，７ｄを２枚重ね合わせたものであり、各透明体７ｃ，７ｄは互いに分離した状態で重ね合わされている。
【００５２】
このように２層構造の透明防護体７を用いた剣道用面防具では、外側の透明体７ｃが破壊されたとしても、その破片を内側の透明体７ｄによりブロックすることができ、透明防護体７により顔面が損傷してしまうことはない。従って、実施例２よりも更に高い安全性が確保されている。
【００５３】
また、外側の透明体７ｃがその他の透明体７ｄと分離されているので、透明防護体７の外面が傷ついて透明性が損なわれたとしても、当該外側の透明体７ｃのみを交換すれば元の透明性に復帰させることができ、経済的である。
【００５４】
実施例４
図１５に示すように、透明防護体７を２層構造に形成した以外は、実施例２と同様の剣道用面防具である。本実施例における透明防護体７は、詳しくは、開口部６のみを塞ぐ大きさに形成された厚さ２ｍｍのポリカ−ボネ−ト樹脂製の高硬度透明体７ｅ，７ｆを２枚重ね合わせたものであり、各透明体７ｅ，７ｆはエポキシ系接着剤を中間に介して相互に密着した状態で重ね合わされている。
【００５５】
このように複数の透明体７ｅ，７ｆを密着させて積層した場合には、実施例３の場合に比べて光の乱反射や照明器具の写りが抑制され、透明防護体７の透明性が向上し、非常に見やすくなっている。
【００５６】
また、各透明体７ｅ，７ｆが分離されていないので、透明防護体７を剣道用面防具に取り付ける作業がし易くなっている。
【００５７】
実施例５
図１６に示すように、透明防護体７を３層構造に形成した以外は、実施例２と同様の剣道用面防具である。本実施例における透明防護体７は、詳しくは、開口部６のみを塞ぐ大きさに形成された厚さ３ｍｍのポリカ−ボネ−ト樹脂製の高硬度透明体７ｈの内面に、同形状に形成された厚さ１ｍｍのナイロン樹脂製の耐衝撃性透明体７ｉを粘着剤を中間に介して密着して積層すると共に、上記高硬度透明体７ｈの外面に、同形状に形成された厚さ１ｍｍの軟質塩化ビニル樹脂製の耐衝撃性軟質透明体７ｇを分離して積層した構造を有する。
【００５８】
このようにポリカーボネート樹脂７ｈの外側に軟質塩化ビニル樹脂７ｇを分離可能に積層した場合には、この軟質塩化ビニル樹脂７ｇがポリカーボネート樹脂７ｈの表面に傷がつくのを防止することができ、しかも、この軟質塩化ビニル樹脂７ｇは非常に安価なものであるので、実施例３よりも更に経済性がよい。
【００５９】
また、高硬度透明体７ｈの内側に耐衝撃性透明体７ｉを密着して積層しているので、この高硬度透明体７ｈが万が一に破壊されたとしても、破壊が透明防護体全体７に広がるのを防止することができ、顔面の損傷を防止することができる。
【００６０】
実施例６
図１７に示すように、透明防護体を２層構造に形成した以外は、実施例２と同様の剣道用面防具である。本実施例における透明防護体７は、詳しくは、開口部６のみを塞ぐ大きさに形成された厚さ３ｍｍのポリカーボネート樹脂製の透明体７ｊの内側に、開口部６及びその上方を塞ぐ大きさに形成された厚さ２ｍｍのポリカーボネート樹脂製の透明体７ｋが分離して積層された構造を有する。
【００６１】
このように開口部６のみを塞ぐ透明体７ｊとは別に、開口部６の周囲（この実施例では開口部６の上方）をも塞ぐ透明体７ｋを設けることにより、開口部６の大きさを広げることなく、透明防護体７による被覆範囲を広げることができ、その結果、剣道用面防具としての雰囲気を損なうことなく、竹刀等の折片が横金２，４の間から進入することも防止することができ、顔面損傷の防止効果を向上させることができる。
【００６２】
実施例７
図１８に示すように、透明防護体７を面金の外側に配設し、且つ、開口部６周囲の横金２，４と重なるように透明防護体７を配設した以外は実施例２と同様の剣道用面防具である。
【００６３】
このように透明防護体７の周囲を横金２，４に重ね合わせて配置することにより、透明防護体７の変形を防止することができ、特に透明防護体７の変形により透明防護体７と横金２，４との間に隙間が形成されることがなくなり、竹刀の先端部がこの隙間から進入して顔面を損傷することがない。従って、安全性をより高いものにすることができる。
【００６４】
なお、図１９（ａ）に示すように、このように開口部６周囲の横金２，４に重ね合わせて透明体７ｐを配設すると共に、その透明体７ｐの内側に１の透明体７ｑを重ね合わせたり、あるいは、図１９（ｂ）に示すように、このように開口部６周囲の横金２，４に重ね合わせて透明体７ｒを配設すると共に、その透明体７ｒの内側に複数の透明体７ｓ，７ｔを重ね合わせたりしても本実施例の効果を奏することはいうまでもない。特に、上記実施例３〜６に示すような組み合わせにすれば、それらの効果を合わせもつことができ、非常に良い態様となる。
【００６５】
実施例８
図２０及び図２１に示すように、透明防護体７を２層構造に形成すると共に、透明防護体７の眼前部分が１層となるように一方の透明体７ｕに窓穴２７が開設された以外は、実施例２と略同様の剣道用面防具である。本実施例における透明防護体７は、詳しくは、開口部６のみを塞ぐ大きさに形成された厚さ３ｍｍのポリカーボネート樹脂製の透明体７ｕの内側に、同形状に形成された厚さ２ｍｍのポリカーボネート樹脂製の透明体７ｖが分離して積層された構造を有する。そして、この外層の透明体７ｕには、左右の眼前部分それぞれに略長方形形状の窓穴２７が１つずつ開設されている。
【００６６】
このように眼前部分に窓穴２７を開設して眼前部分を１層に形成した場合には、複数の透明体７ｕ，７ｖの表面において光の屈折や乱反射が生じることがなく、透明防護体７としての透明性が向上して見やすくなっている。また、眼前部分の透明体の肉厚が１層と薄いので、各透明体７ｕ，７ｖの間に中間材を配設して透明体全体を一体に形成することで光の屈折や乱反射を防止した場合において問題となる、レンズ効果による像の歪みや距離感の乱れ等を生ずることも無い。
【００６７】
また、本実施例の剣道用面防具では、複数の透明体７ｕ，７ｖが分離して積層された構造を有するので実施例３と同様の作用効果も有する。
【００６８】
更に、本実施例では、図２１に示すように、外層の透明体７ｕの取付部１６にはスリット２６を形成し、このスリット２６にボルト１８が挿入された状態でボルト１８を締めることで、外側の透明体７ｕを剣道用面防具に固定するように構成している。従って、ボルト１８を緩めるだけで外側の透明体７ｕを装脱することができ、外側の透明体７ｕの交換作業が非常に容易である。また、このような固定方法であっても、外側の透明体７ｕが外れたりずれたりしてしまうことはない。
【００６９】
なお、図２２に示すように窓穴２７を内側の透明体７ｘに開設しても、図２３に示すように、２つの透明体７ｙ，７ｚが紫外線硬化性アクリルモノマ−を介して密着して積層された透明防護体７において、内側の透明体７ｚに１つの長方形形状の窓穴２７を眼前部分に形成するようにしても同様の効果をえることができる。
【００７０】
また、外層の透明体に窓穴を開設するような場合においては当該透明体の厚さを０．５ｍｍ以上、好ましくは１ｍｍ以上に形成するとよい。これにより透明防護体７を下にして床の上に載置した場合等においても内側の透明体に傷がついてしまうのを防止することができる。なお、内側の透明体の窓穴２７に対応する外面上に透明な粘着テープ等を貼着させてもよい。これにより内側の透明体自体が傷つくのを防止することが可能である。
【００７１】
更に、３層以上の積層構造の透明防護体７であっても、その内の１層のみを残して眼前部分に窓穴２７を開設すれば、本実施例と同様の作用効果を奏することができる。
【００７２】
実施例９
図２４に示すように、透明防護体７よりも上方に突出する上部補助防護体２８ａと、透明防護体７よりも下方に突出する下部補助防護体２８ｂを設けた以外は、実施例２と同様の構成である。このような補助防護体２８はそれぞれ、透明防護体７の内側においてその一部が透明防護体７の上縁部あるいは下縁部に重ね合わされた状態で配設されるものであり、厚さ１ｍｍのポリカーボネート樹脂製の透明体からなる。また、この補助防護体２８は、透明防護体７と同様に取付部が形成され、この取付部を透明防護体の取付部１６と共に固定することで剣道用面防具に取り付けられている。
【００７３】
このように透明防護体７よりも上方あるいは下方に突出させて、且つ、その一部が透明防護体７に重ね合わさるように補助防護体２８を配設した場合には、開口部６及びその上下における横金２，４の隙間を塞ぐことができ、透明体による顔面の保護範囲を広げて安全性を高めることができる。また、このように透明防護体７と補助防護体２８とを組み合わせて保護範囲を広げた場合には、その範囲全体を１つの透明体で被覆した場合に比べて透明体の形状を簡易なものとすることができ、容易に且つ安価に成形することができる。更に、透明防護体７と補助防護体２８とを重ね合わせているので、透明防護体７が変形したとしてもこれらの間に隙間が形成されることはなく、同様の範囲を１つの透明体で被覆した場合の保護効果と比べても遜色がないものにすることができる。
【００７４】
なお、図２５に示すように、補助防護体２８と透明防護体７との重なり部分を増やして、眼前部分以外においては補助防護体２８と透明防護体７とを重ね合わせるようにした場合には、透明防護体７の層を実質的に１層増加させたような積層構造となり、透明防護体７の強度を補強しつつ、実施例８と同様の効果も奏することが可能となる。
【００７５】
また、本実施例では、透明防護体７の上方に突出する上部補助防護体２８ａと、透明防護体７の下方に突出する下部補助防護体２８ｂとの両方を設けたが、上部補助防護体２８ａあるいは下部補助防護体２８ｂの何れか一方のみを設けるようにしても、本実施例と同様の効果が発揮されることは言うまでもない。
【００７６】
実施例１０
更に、図２６〜図３１は本発明の実施例１０にかかる剣道用面防具を示すものであり、この実施例においては、透明防護体７がその上下方向には略直線で、かつ、その左右方向には略々面金の横金２，４の湾曲と同様に湾曲されており（図２７参照）、図１８に示すような上下方向にも湾曲する三次元曲面ではなくて、二次元曲面に形成されている。
【００７７】
そして、この実施例１０においては、図２７及び図２８に示されているように、透明防護体７は厚さ４ｍｍのポリカーボネート樹脂の単層体で、その縦方向に延びる縦中心線Ｌを対称軸とする左右対称に形成されており、その眼前部分における左右方向の曲率半径がその中心部（縦中心線Ｌの位置）から端部にかけて通常の人の視界の範囲（角度θ）、すなわち約１２０°の角度の範囲で順次小さくなるように形成されている。
【００７８】
なお、図２７に示すように透明防護体７の前面は下向きに傾斜している。すなわち、台座１と透明防護体７との間隔が上方よりも下方が狭く構成されている。これは、照明器具からの光を下方に反射させ、競技者の頭部が多少上向きになってもその光を立ち会い者の目に反射させないようにし、立ち会い者の目が眩むのを防止するためである。ここで、台座１に対する透明防護体７のなす角度αは、０°＜α≦１５°であることが望ましい。さらに好ましくは、０°＜α≦１０°である。これは、角度αが０°よりも大きければ上述の効果を奏する一方、余りに大きすぎては様式美を損ねると共に、競技者の視線方向の変化に対する透明防護体７の厚みの変化が大きく、像に歪みが生じる恐れがあるためである。このように透明防護体７の前面を下向きに傾斜させる場合には、立ち会い者に光が反射するのを防止することはできるが、その反面、照明器具からの光が透明防護体７の内側に入射し、その内面に反射して競技者自身の目を眩ませてしまうおそれがある。
【００７９】
そこで、着色する、紙を貼る、光を反射しにくい金網を付する等の遮蔽方法によって、照明器具等の上方からの光を遮蔽し、透明防護体７の内面での光の反射を抑える構成としてもよい。ここで、照明器具等からの光は主に台座１、横金２、筋金３が成す上部の空間から入射するものであるため、この上部からの光の入射を効果的に遮蔽できる部分に遮蔽方法を施すことが望ましい。例えば、台座１、横金２、筋金３の上部の一部又は全部に遮蔽方法を施すことができる。特に、光を反射しにくい例えば黒色の金網を取付け金具や嵌め込み形状等によりこれらに取付ける場合には、光の遮蔽と同時に十分な通気性をも確保することができ、さらに横金２、筋金３等の曲面形状に合わせて成型することも容易であるため望ましい。また、透明防護体７自体をより台座１、横金２、筋金３の上部に対応する位置にまで延設し、その透明防護体７の上部側の一部に遮蔽方法を施してもよい。
【００８０】
このような遮蔽方法は本実施例に限らず、他の実施例にかかる顔面防護体にも適用可能である。例えば、実施例９のような上部透明防護体２８ａを有する場合には、この上部透明防護体２８ａに遮蔽方法を施すこともできる。また、より効果的に光の遮蔽を行なうために、上部透明防護体２８ａをより台座１、横金２、筋金３の上部に対応する位置にまで延設又は移動し、その上部透明防護体２８ａの全部又は上部側の一部に遮蔽方法を施してもよい。なお、通気性と光の遮蔽性との両立を図るために、図２４，図２５に示した構成とは異なり、上部透明防護体２８ａと透明防護体７との間に隙間を設けた上で上部透明防護体２８ａに遮蔽方法を施すものでもよい。
【００８１】
この実施例１０の透明防護体７には、図２７及び図２８に示されているように、片側２本の取付部１６が設けられており、この取付部１６には透明防護体７を取り付けた際に面布団１２の内側に位置してこの面布団１２と接する側の面に一方のベルベットファスナー（例えば、雄ベルベットファスナー３６ａ）３６が固着されており、図２９に示すように、この取付部１６が面布団１２の内側に挿入された際に、この面布団１２の内側に設けられた他方のベルベットファスナー（例えば、雌ベルベットファスナー３６ｂ）３６に固着し、着脱可能にかつ強固に固定されるようになっている。また、透明防護体７の固定効果を一層高めるために、透明防護体７の面布団１２と接する側の面及び内輪１５の面布団側と接する面の両面に一方のベルベットファスナー（例えば、雄ベルベットファスナー３６ａ）３６が固着され、この面布団１２の内側及び内輪１５の面布団側の双方に設けられた他方のベルベットファスナー（例えば、雌ベルベットファスナー３６ｂ）３６に固着し、面布団１２及び内輪１５の双方から透明防護体７を挟むように固定することもできる。無論、ベルベットファスナー３６の雄雌は逆でもよい。
【００８２】
また、取付部１６を面布団１２の外面より内側に位置させて固定する態様としては、図２９で示したように面布団１２の内面と内輪１５との間に取付部１６を固定するものの他、面布団１２の内部、又は内輪１５の内部に取付部１６を挿入して固定するものであってもよい。すなわち、図３０（ａ）に示すように透明防護体７を面布団１２自体の内部に埋没させるものでもよく、この場合には面金台座にスリットや切欠部を設ける必要がない。さらに、図３０（ｂ）に示すように透明防護体７を内輪１５自体の内部に埋没させるものでもよい。これらの場合にも、透明防護体７はそれぞれ接触する面に設けられたベルベットファスナー３６によって面布団１２自体又は内輪１５自体と固定されるが、図２９と同様に取付部１６の片面と接触する面布団１２又は内輪１５の片面にベルベットファスナー３６を設けるのみで十分な固定効果が得られる。
【００８３】
また、この実施例１０において、台座１、筋金３，５、及び横金２，４で構成される面金には、図２７及び図３１に示されているよう、その上部筋金３の下端部と下部筋金５の上端部にそれぞれ透明防護体７の厚さ（４ｍｍ）に略相当する高さの切欠部３ａ，５ａが形成されており、また、開口部６を区画する上部横金２ａ及び下部横金４ａはこれらの上部横金２ａ及び下部横金４ａに隣接する横金２，４よりも透明防護体７の厚さ（４ｍｍ）に略相当する高さだけ裏面（顔面）側に低く位置しており、透明防護体７を面金に取り付けた際に、この透明防護体７の上下端部の表面が重ね合わされた面金の開口部６の上部横金２ａ及び下部横金４ａの表面と略々面一になっている。
【００８４】
なお、図３２〜図３４はこの実施例１０の透明防護体７の変形例を示すものであり、図３２の透明防護体７は、その眼前部分における左右方向の曲率半径が通常の人の視界の範囲（約１２０°）を超えてほぼ全体の角度θ＝約１５０°の範囲まで同じ大きさに形成されている。
【００８５】
また、図３３の透明防護体７は、外側に３ｍｍのポリカーボネート樹脂体を用い、内側に１．５ｍｍのポリカーボネート樹脂体を用いて、中間に０．４ｍｍのブチラール樹脂薄膜体を用いて密着させた２層構造になっているものであり、更に、図３４の透明防護体７は、１ｍｍ、２ｍｍ及び１ｍｍのポリカーボネート樹脂体をそれぞれの中間にＥＶＡ樹脂薄膜体を介在させて密着させた３層構造になっているものである。そして、これら何れの透明防護体７もその角部が面取りされて角部の耐久性の向上が図られており、更に、図３３の透明防護体７にはそれぞれ一方のベルベットファナー３６ａを有する片側３本の取付部１６が、また、図３４の透明防護体７には片側一対の取付部１６の間に台座１に当接して面金に取り付けた際にこの透明防護体７の位置決めと竹刀等の打突による衝撃を受けた際に透明防護体７が着用者の顔面側に移動しないようになっている。
【００８６】
更に、図３５はこの実施例１０の面金の変形例を示すものであり、図３１の場合とは異なり、開口部６を区画する上部横金２ａ及び下部横金４ａの位置はこれらの上部横金２ａ及び下部横金４ａに隣接する横金２，４と略々同じ高さに設計されており、透明防護体７を面金に取り付けた際に、この透明防護体７の上下端部の表面が重ね合わされた面金の開口部６の上部横金２ａ及び下部横金４ａの表面よりその厚さ分だけ表面側に突出するようになっている。このような場合においても、透明防護体７の上下端部は開口部６の上部横金２ａ及び下部横金４ａによってその裏側から支承され、充分に補強される。
【００８７】
更にまた、図示はしていないが、図２７、図３１、及び図３５において、開口部６を区画する上部横金２ａ及び下部横金４ａの表面に軟質の緩衝層を設け、あるいは、これら上部横金２ａ及び下部横金４ａの表面が当接する透明防護体７の上下端部の裏面に緩衝層を設け、これら緩衝層により竹刀等の打突等による衝撃を緩和し、透明防護体７の上下端部の耐衝撃性をより向上させることもできる。
【００８８】
実施例１１
図３６〜図３８は本発明の実施例１１にかかる剣道用面防具を示すものであり、その剣道用面防具の面金には、その上部筋金３と下部筋金５との間にそれらと一体的に形成されている中央部筋金５１が設けられており、その他の構成は実施例１０にかかる剣道用面防具と同様である。
【００８９】
この中央部筋金５１は、透明防護体７の縦方向に延びる縦中心線Ｌに沿って設けられている（図３６参照）。また、上部筋金３の下端部と下部筋金５の上端部にそれぞれ形成された切欠部３ａ，５ａ、開口部６を区画する上部横金２ａ、下部横金４ａ及び中央部筋金５１とは、透明防護体７を面金に取り付けた際に、この透明防護体７の上下端部及び中央部の表面が重ね合わされた面金の開口部６の上部横金２ａ、下部横金４ａ及び中央部筋金５１の表面と略々面一になっている（図３７，３７参照）。
【００９０】
このように、剣道用面防具の面金の上部筋金３と下部筋金５との間にそれらと一体的に構成されている中央部筋金５１を設けることによって、着用者の視界を大きく妨げることなく、面金の強度を一層高めることができる。更に、透明防護体７は開口部６の上部横金２ａ及び下部横金４ａの他に、この中央部筋金５１によってもその裏側から支承されるため、透明防護体７が一層安定する。
【００９１】
更にまた、図示はしていないが、図３６〜図３８において、開口部６を区画する上部横金２ａ、下部横金４ａ及び中央部筋金５１の表面に軟質の緩衝層を設け、あるいは、これら上部横金２ａ、下部横金４ａ及び中央部筋金５１の表面が当接する透明防護体７の上下端部及び中央部の裏面に緩衝層を設け、これら緩衝層により竹刀等の打突等による衝撃を緩和し、透明防護体７の上下端部及び中央部の耐衝撃性をさらに向上させることもできる。
【００９２】
【発明の効果】
本発明の顔面保護具は、少なくとも着用者の視線が通過する眼前部分における面金の筋金及び／又は横金を切り欠いて開口部を形成し、この開口部に透明防護体を配設した構成になっているので、竹刀の先端や破片等の進入を効果的に防止しつつ、竹刀等で強打された際の、あるいは稽古中の衝突に対する耐衝撃強度を確保することができ、安全性が極めて高い。
【００９３】
また、面金の横金及び筋金が充分に残されているので、剣道用面防具とした場合には従来の剣道用面防具が有する伝統的な様式美が不必要に損なわれることがなく、従来の剣道用面防具に化体した剣道の伝統文化性を継承し得るものとなっている。
【図面の簡単な説明】
【図１】  図１は、本発明の実施例１に係る剣道用面防具の正面図である。
【図２】  図２は、図１の面金を示す側面説明図である。
【図３】  図３は、図１の透明防護体を示す側面説明図である。
【図４】  図４は、図１の面金及び透明防護体の組立状態を示す側面説明図である。
【図５】  図５は、実施例１の変形例を示す剣道用面防具の正面図である。
【図６】  図６は、本発明の実施例２に係る剣道用面防具の正面図である。
【図７】  図７は、図６の面金の台座を示す説明図である。
【図８】  図８は、図６の透明防護体を示す側面説明図である。
【図９】  図９は、図６の面金及び透明防護体の組立状態を示す側面説明図である。
【図１０】  図１０は、図６のａ−ａ’線断面説明図である。
【図１１】  図１１は、実施例２と比較される剣道用面防具の斜視説明図である。
【図１２】  図１２は、実施例２の台座の変形例を示す説明図である。
【図１３】  図１３は、実施例２の台座に台座補強部材を配設した変形例を示す説明図である。
【図１４】  図１４は、本発明の実施例３にかかる透明防護体を示す縦断面説明図である。
【図１５】  図１５は、本発明の実施例４の透明防護体を示す縦断面説明図である。
【図１６】  図１６は、本発明の実施例５の透明防護体を示す縦断面説明図である。
【図１７】  図１７は、本発明の実施例６の透明防護体を示す縦断面説明図である。
【図１８】  図１８は、本発明の実施例７に係る剣道用面防具を示す正面図である。
【図１９】  図１９は、図１８の透明防護体の変形例を示す説明図である。
【図２０】  図２０は、本発明の実施例８の透明防護体を示す側面図である。
【図２１】  図２１は、図２０の外側の透明体を示す上方斜視説明図である。
【図２２】  図２２は、図２０の透明防護体の変形例を示す説明図である。
【図２３】  図２３は、図２０の透明防護体の変形例を示す説明図である。
【図２４】  図２４は、本発明の実施例９の剣道用面防具を示す正面図である。
【図２５】  図２５は、図２４の補助防護体の変形例を示す説明図である。
【図２６】  図２６は、本発明の実施例１０の剣道用面防具を示す正面説明図である。
【図２７】  図２７は、図２６の面金及び透明防護体の組立状態を示す側面説明図である。
【図２８】  図２８は、図２６の透明防護体を示す端面説明図である。
【図２９】  図２９は、図２６のａ−ａ’線断面説明図である。
【図３０】  図３０は、図２６のａ−ａ’線断面説明図の他の態様を示す説明図である。
【図３１】  図３１は、図２６の面金を示す側面説明図である。
【図３２】  図３２は、実施例１０の透明防護体の変形例を示す端面説明図である。
【図３３】  図３３は、実施例１０の透明防護体の変形例を示す説明図である。
【図３４】  図３４は、実施例１０の透明防護体の変形例を示す説明図である。
【図３５】  図３５は、実施例１０の面金の変形例を示す側面説明図である。
【図３６】  図３６は、本発明の実施例１１の剣道用面防具を示す正面説明図である。
【図３７】  図３７は、図３６の面金及び透明防護体の組立状態を示す側面説明図である。
【図３８】  図３８は、図３７の面金を示す側面説明図である。
【図３９】  従来の剣道用の剣道用面防具の正面図である。
【符号の説明】
１…台座、２，４…横金、３，５，１１…筋金、６…開口部、７…透明防護体、１２…面布団、１３…突き当て、３６…ベルベット式ファスナー。
【図１】
0004015262.tif 000002
【図２】
0004015262.tif 000003
【図３】
0004015262.tif 000004
【図４】
0004015262.tif 000005
【図５】
0004015262.tif 000006
【図６】
0004015262.tif 000007
【図７】
0004015262.tif 000008
【図８】
0004015262.tif 000009
【図９】
0004015262.tif 000010
【図１０】
0004015262.tif 000011
【図１１】
0004015262.tif 000012
【図１２】
0004015262.tif 000013
【図１３】
0004015262.tif 000014
【図１４】
0004015262.tif 000015
【図１５】
0004015262.tif 000016
【図１６】
0004015262.tif 000017
【図１７】
0004015262.tif 000018
【図１８】
0004015262.tif 000019
【図１９】
0004015262.tif 000020
【図２０】
0004015262.tif 000021
【図２１】
0004015262.tif 000022
【図２２】
0004015262.tif 000023
【図２３】
0004015262.tif 000024
【図２４】
0004015262.tif 000025
【図２５】
0004015262.tif 000026
【図２６】
0004015262.tif 000027
【図２７】
0004015262.tif 000028
【図２８】
0004015262.tif 000029
【図２９】
0004015262.tif 000030
【図３０】
0004015262.tif 000031
【図３１】
0004015262.tif 000032
【図３２】
0004015262.tif 000033
【図３３】
0004015262.tif 000034
【図３４】
0004015262.tif 000035
【図３５】
0004015262.tif 000036
【図３６】
0004015262.tif 000037
【図３７】
0004015262.tif 000038
【図３８】
0004015262.tif 000039
【図３９】
0004015262.tif 000040